(57)【要約】      （修正有）【課題】プライバシーを保護するとともに、常圧よりも高圧または低圧な状態を維持可能なチャンバを上下に積み重ねた気軽に利用できる密集型の宿泊施設を提供する。【解決手段】室内の気圧を常圧よりも高圧または低圧に維持可能な居室空間を形成するカプセルルーム１において、開閉可能な扉１４ａ、１４ｂを有し、内部に人が入ることができる略箱形状のチャンバ１１ａ、１１ｂと、チャンバ内の気圧を常圧よりも高圧または低圧に維持するための加圧手段および／または減圧手段とを備え、チャンバを上下に積み重ねて構成する。【選択図】図１
0003220006.tif 000002
【実用新案登録請求の範囲】
【請求項１】
室内の気圧を常圧よりも高圧または低圧に維持可能な居室空間を形成するカプセルルームにおいて、
開閉可能な扉を有し、内部に人が入ることができる略箱形状のチャンバと、
前記チャンバ内の気圧を常圧よりも高圧または低圧に維持するための加圧手段および／または減圧手段とを備え、
前記チャンバを上下に積み重ねて構成したことを特徴とするカプセルルーム。
【請求項２】
前記チャンバは、内部に人が横臥可能であることを特徴とする請求項１に記載のカプセルルーム。
【請求項３】
前記チャンバが、
壁面が略筒形状で、端部にツバ部を有する複数のチャンバ部材からなり、一の前記チャンバ部材の前記ツバ部と他の前記チャンバ部材の前記ツバ部とを密着して連結したものであることを特徴とする請求項１または２に記載のカプセルルーム。
【請求項４】
前記チャンバの前記扉は、前記チャンバの端面に形成されていることを特徴とする請求項１〜３のいずれか一項に記載のカプセルルーム。
【請求項５】
前記チャンバの前記扉は、前記チャンバの胴面に形成されていることを特徴とする請求項１〜４のいずれか一項に記載のカプセルルーム。
【考案の詳細な説明】
【技術分野】
【０００１】
本考案は、室内の気圧を常圧よりも高圧または低圧に維持可能な居室空間を有するカプセルルームに関する。
【背景技術】
【０００２】
従来より、室内の気圧を常圧よりも高圧または低圧に設定して高圧酸素治療や高地トレーニングが行われている。例えば、特許文献１の気圧トレーニング装置は、気密可能な気密室と、気密室内に設けられ気密室内の空気を排気して減圧する減圧ポンプ及び、気密室外に設けられ気密室内に空気を給気して加圧する加圧ポンプと、減圧ポンプ及び加圧ポンプを通電制御するポンプ制御手段と、を有し、ポンプ制御手段は、最初にポンプを減圧動作させることで気密室内を減圧状態で一定時間継続させた後、ポンプを加圧動作させることで、気密室内を常圧よりも高い加圧状態で一定時間継続させ、その後減圧状態と加圧状態とを所定間隔で交互に繰り返すようポンプを制御することを特徴としている。
【先行技術文献】
【特許文献】
【０００３】
【特許文献１】特開２０１５−３７４４６号公報
【考案の概要】
【考案が解決しようとする課題】
【０００４】
しかしながら、従来の気圧トレーニング装置は、その中でトレーニングを行うためのものであり、高圧または低圧状態での効果を目的として、プライベート空間として気軽に利用できるものではなかった。
【０００５】
本考案は、このような事情に鑑みてなされたもので、プライバシーを保護し、常圧よりも高圧または低圧な状態を維持可能なチャンバを上下に積み重ねて密集型の宿泊施設を提供することを目的とする。
【課題を解決するための手段】
【０００６】
請求項１記載のカプセルルームは、室内の気圧を常圧よりも高圧または低圧に維持可能な居室空間を形成するカプセルルームにおいて、開閉可能な扉を有し、内部に人が入ることができる略箱形状のチャンバと、チャンバ内の気圧を常圧よりも高圧または低圧に維持するための加圧手段および／または減圧手段とを備え、チャンバを上下に積み重ねて構成したことを特徴とする。
【０００７】
請求項２記載のカプセルルームは、チャンバが、内部に人が横臥可能であることを特徴とする。
【０００８】
請求項３記載のカプセルルームは、チャンバが、壁面が略筒形状で、端部にツバ部を有する複数のチャンバ部材からなり、一のチャンバ部材のツバ部と他のチャンバ部材のツバ部とを密着して連結したものである。
【０００９】
請求項４記載のカプセルルームは、チャンバの扉が、チャンバの端面に形成されていることを特徴とする。
【００１０】
請求項５記載のカプセルルームは、チャンバの扉が、チャンバの胴面に形成されていることを特徴とする。
【考案の効果】
【００１１】
本願考案のカプセルルームによれば、プライバシーを保護し、常圧よりも高圧または低圧な状態を維持可能なチャンバを上下に積み重ねて密集型の宿泊施設を提供することができる。
【図面の簡単な説明】
【００１２】
【図１】本考案に係るカプセルルームの構成の一例を示す説明図である。
【図２】本考案に係るカプセルルームの構成を説明するための説明図である。
【図３】本考案に係るカプセルルームの構成の他の例を示す説明図である。
【考案を実施するための形態】
【００１３】
以下、本考案の形態について図面を参照しながら具体的に説明する。図１は、本考案に係るカプセルルームの構成の一例を示す説明図である。図２は、本考案に係るカプセルルームの構成を説明するための説明図である。図３は、本考案に係るカプセルルームの構成の他の例を示す説明図である。
【００１４】
図１、２におけるカプセルルーム１は、居室空間であり、室内であるチャンバ１１ａ、１１ｂ内の気圧を常圧よりも高圧または低圧に維持可能なものである。カプセルルーム１は、チャンバ１１ａ、１１ｂと加圧手段１２ａ、１２ｂおよび／または減圧手段１３ａ、１３ｂとを備えている。
【００１５】
チャンバ１１ａ、１１ｂは、略箱形状であって、開閉可能な扉１４ａ、１４ｂを有し、内部に人が入ることができる。尚、チャンバ１１ａ、１１ｂの内部は、一人で居室空間として過ごすことができる最低限の広さが必要である。そして、チャンバ１１ａ、１１ｂは、扉１４ａ、１４ｂを閉じた状態では、チャンバ１１ａ、１１ｂ内が密閉空間になるような構造である。
【００１６】
また、上段に積み重ねられたチャンバ１１ｂは、下段のチャンバ１１ａの端面１７ａに上段のチャンバ１１ｂの扉１４ｂへとつながる階段１５や梯子等を設けることにより、上段のチャンバ１１ｂへの出入りが可能になる。あるいは、図３のように上段のチャンバ２１ｂの扉２４ｂが胴面２８ｂにある場合には、階段２５や梯子等を胴面２８ａに設ければよい。
【００１７】
加圧手段１２ａ、１２ｂおよび／または減圧手段１３ａ、１３ｂは、チャンバ１１ａ、１１ｂ内の気圧を常圧よりも高圧または低圧に維持するためのものである。チャンバ１１ａ、１１ｂ内の気圧を上げるための加圧手段１２ａ、１２ｂは、例えば、加圧用コンプレッサであり、これを用いてチャンバ１１ａ、１１ｂ内の気圧を常圧よりも高圧な状態を維持し、その後、気圧を下げて常圧に戻すことを基本的な動作とする。常圧に戻す場合には、常圧に向かってチャンバ１１ａ、１１ｂ内の気圧を下げるための減圧手段１３ａ、１３ｂ、例えば、減圧用コンプレッサを用いてもよい。また、チャンバ１１ａ、１１ｂ内の気圧をモニタするための圧力計１６ａ、１６ｂを備えていてもよい。尚、高圧としては、１．２気圧から３気圧程度までである。
【００１８】
加圧手段１２ａ、１２ｂは、チャンバ１１ａ、１１ｂの外側または内側に配置され（図１には図示していない、図２では外側の例）、チャンバ１１ａ、１１ｂ内と連通し、チャンバ１１ａ、１１ｂ内に空気を送り込むものである。加圧手段１２ａ、１２ｂの一例として加圧用コンプレッサを挙げたが、ポンプ等の他の手段であってもかまわない。
【００１９】
一方、低圧に維持する場合は、チャンバ１１ａ、１１ｂ内の気圧を下げるための減圧手段１３ａ、１３ｂを用いて、チャンバ１１ａ、１１ｂ内の気圧を常圧よりも低圧な状態に維持し、その後、気圧を上げて常圧に戻すことを基本的な動作とする。常圧に戻す場合には、常圧に向かってチャンバ１１ａ、１１ｂ内の気圧を上げるための加圧手段１２ａ、１２ｂを用いてもよい。尚、低圧としては、０．９気圧から０．６気圧程度までである。
【００２０】
減圧手段１３ａ、１３ｂは、チャンバ１１ａ、１１ｂの外側または内側に配置され（図１には図示していない、図２では内側の例）、チャンバ１１ａ、１１ｂ内と連通し、チャンバ１１ａ、１１ｂ内の空気を吸い出すものである。減圧手段１３ａ、１３ｂの一例として減圧用コンプレッサを挙げたが、ポンプ等の他の手段であってもかまわない。
【００２１】
尚、図２では、各チャンバ１１ａ、１１ｂに加圧手段１２ａ、１２ｂと減圧手段１３ａ、１３ｂが設けられているが、いずれか一方だけでもよい。また、加圧手段１２ａ、１２ｂおよび／または減圧手段１３ａ、１３ｂを備えた中央管理室を設け、各チャンバ１１ａ、１１ｂ内の気圧を集中的に管理してもよい。
【００２２】
尚、図示してはいないが、チャンバ１１ａ、１１ｂ内の気圧の調整のために、各種の弁構造を設けるようにしてもよい。
【００２３】
カプセルルーム１は、チャンバ１１ａ、１１ｂを上下に積み重ねて構成している。尚、カプセルルーム１は、チャンバ１１ａ、１１ｂを上下２段以上に積み重ねることが可能であり、チャンバ１１ａ、１１ｂを上下に積み重ねたものを複数並べることも可能である。これにより、プライバシーを保護し、常圧よりも高圧または低圧な状態を維持可能なチャンバを上下に積み重ねて密集型の宿泊施設を提供することができる。
【００２４】
図１に示すカプセルルーム１では、チャンバ１１ａ、１１ｂは、内部に人が横臥可能である。これにより、チャンバ１１ａ、１１ｂ内に横臥した状態で、高圧または低圧下の居室空間として過ごすことができるため、プライバシーが保護された空間でリラックスして高圧または低圧下での効果を受けることができる。
【００２５】
図３のチャンバ２１ａ、２１ｂは、壁面が略筒形状で、端部にツバ部３０ａａ、３０ａｂ、３０ｂａ、３０ｂｂ、３０ｃａ、３０ｃｂを有する複数のチャンバ部材２９ａ、２９ｂ、２９ｃからなる。そして、チャンバ部材２９ａのツバ部３０ａｂとチャンバ部材２９ｂのツバ部３０ｂａ、チャンバ部材２９ｂのツバ部３０ｂｂとチャンバ部材２９ｃのツバ部３０ｃａとを密着して連結したものである。これにより、カプセルルーム２は、複数のチャンバ部材２９ａ、２９ｂ、２９ｃからなるため、搬入口が狭い場所であっても、設置現場で組立可能である。
【００２６】
尚、図１〜３では、チャンバ１１ａ、１１ｂ、２１ａ、２１ｂの壁面の略筒形状は、略角筒形状であるが、これに限定されるものではなく、円筒型、かまぼこ型等の形状であってもよい。図３では、チャンバ部材２９ａ、２９ｂ、２９ｃは、１つのチャンバ部材２９ａ、２９ｂ、２９ｃの端部と端部の間にもツバ部を有しているが、端部のみであってもよい。また、チャンバ部材２９ａ、２９ｂ、２９ｃは、チャンバ２１ｂを３分割しているが、設置場所の状況に合わせて分割すればよい。さらに、一のチャンバ部材２９ａのツバ部３０ａｂと他のチャンバ部材２９ｂのツバ部３０ｂａ等の端部のツバ部間（３０ａｂと３０ｂａ、３０ｂｂと３０ｃａ）の密着した連結方法は、任意であるが、ツバ部３０に設けた孔にボルトを通して固定してもよい。あるいはツバ部３０同士を溶接してもよい。
【００２７】
図１では、チャンバ１１ａ、１１ｂの扉１４ａ、１４ｂは、チャンバ１１ａ、１１ｂの端面１７ａ、１７ｂに形成されている。図３では、チャンバ２１ａ、２１ｂの扉２４ａ、２４ｂは、チャンバ２１ａ、２１ｂの胴面２８ａ、２８ｂに形成されている。また、扉１４ａ、１４ｂ、２４ａ、２４ｂは、チャンバ１１ａ、１１ｂ、２１ａ、２１ｂの配置に応じて、各チャンバ１１ａ、１１ｂ、２１ａ、２１ｂの端面１７ａ、１７ｂ、２７ａ、２７ｂと胴面１８ａ、１８ｂ、２８ａ、２８ｂの両方に形成されていてもよい。これにより、チャンバ１１ａ、１１ｂ、２１ａ、２１ｂの配置に応じて、出入口である扉１４ａ、１４ｂ、２４ａ、２４ｂの位置を選択することができる。
【００２８】
次に、本実施の形態におけるカプセルルーム１の動作の一例を説明する。チャンバ１１ａ、１１ｂ内の気圧を常圧よりも高圧に維持する場合、まず、加圧手段である加圧用コンプレッサ１２ａ、１２ｂを動作させて、チャンバ１１ａ、１１ｂ内の気圧を、所望の気圧だけ高くするようにする。そして、所定間隔で加圧用コンプレッサ１２ａ、１２ｂを動作させて、チャンバ１１ａ、１１ｂ内の気圧を所定圧に維持する。その後、気圧を下げたい場合には、加圧用コンプレッサ１２ａ、１２ｂの出力を調整しつつ、減圧手段である減圧用コンプレッサ１３ａ、１３ｂを動作させて、気圧を下げるようにする。そして、最終的に、チャンバ１１ａ、１１ｂ内を通常の気圧状態（常圧状態）にする時は、加圧用コンプレッサ１２ａ、１２ｂの動作を止めて、減圧用コンプレッサ１３ａ、１３ｂを動作させるようにし、必要に応じて、図示しない弁構造を開放するようにしてもよい。
【００２９】
一方、チャンバ１１ａ、１１ｂ内の気圧を常圧よりも低圧に維持する場合は、まず低圧手段である低圧用コンプレッサ１３ａ、１３ｂを動作させて、チャンバ１１ａ、１１ｂ内の気圧を、所望の気圧だけ低くするようにする。そして、所定間隔で低圧用コンプレッサ１３ａ、１３ｂを動作させて、チャンバ１１ａ、１１ｂ内の気圧を所定圧に維持する。その後、気圧を上げたい場合には、低圧用コンプレッサ１３ａ、１３ｂの出力を調整しつつ、加圧手段である加圧用コンプレッサ１２ａ、１２ｂを動作させて、気圧を上げるようにする。そして、最終的に、チャンバ１１ａ、１１ｂ内を通常の気圧状態（常圧状態）にする時は、低圧用コンプレッサ１３ａ、１３ｂの動作を止めて、加圧用コンプレッサ１２ａ、１２ｂを動作させるようにし、必要に応じて、図示しない弁構造を開放するようにしてもよい。
【００３０】
チャンバ１１ａ、１１ｂ内が高圧または低圧に保たれた状態で、チャンバ１１ａ、１１ｂ内に居る人は、横臥して睡眠を取ったり、勉強、読書等をしたりして自由に過ごしながら、高圧状態あるいは低圧状態での効果を得ることができる。
【００３１】
以上のような構造の本実施の形態に係るカプセルルーム１、２によれば、プライバシーを保護し、常圧よりも高圧または低圧な状態を維持可能なチャンバを上下に積み重ねて密集型の宿泊施設を提供することができる。
【００３２】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３３】
本考案により、プライバシーを保護し、常圧よりも高圧または低圧な状態を維持可能なチャンバを上下に積み重ねて密集型の宿泊施設を提供することができる。
【符号の説明】
【００３４】
１、２・・・・カプセルルーム
１１ａ、１１ｂ、２１ａ、２１ｂ・・・・チャンバ
１２ａ、１２ｂ・・・・加圧手段（加圧用コンプレッサ）
１３ａ、１３ｂ・・・・減圧手段（減圧用コンプレッサ）
１４ａ、１４ｂ、２４ａ、２４ｂ・・・・扉
１５、２５・・・・階段
１６ａ、１６ｂ・・・・圧力計
１７ａ、１７ｂ、２７ａ、２７ｂ・・・・端面
１８ａ、１８ｂ、２８ａ、２８ｂ・・・・胴面
２９ａ、２９ｂ、２９ｃ・・・・チャンバ部材
３０ａａ、３０ａｂ、３０ｂａ、３０ｂｂ、３０ｃａ、３０ｃｂ・・・・ツバ部
【図１】
0003220006.tif 000003
【図２】
0003220006.tif 000004
【図３】
0003220006.tif 000005